(57)【要約】  本発明は、安全性をより高めることができる遊戯装置に関する。遊戯装置１は、両端側上面に遊戯者Ｙがそれぞれ座る遊戯用部材１０と、遊戯用部材１０の下方に配置された基台１１と、基台１１上に配設され、遊戯用部材１０を支持するとともに水平面に対して傾斜させる傾斜装置１５と、可撓性を有する部材から構成され、傾斜装置１５を内部に収容した状態で遊戯用部材１０と基台１１との間の空間を閉塞するように、上端部及び下端部が遊戯用部材１０及び基台１１にそれぞれ取り付けられたカバーシート１２と、カバーシート１２，遊戯用部材１０及び基台１１によって形成される閉塞空間Ｋ内に気体を供給して、閉塞空間Ｋ内の気体圧力を高めるブロワ１３とを備える。カバーシート１２は、遊戯用部材１０の傾斜を許容するとともに、閉塞空間Ｋ内の気体圧力が高められることによって外側に膨らむように構成される。【特許請求の範囲】
【請求項１】
遊戯者が搭乗する搭乗部を備え、該搭乗部を変位可能に支持する遊戯機構と、
前記搭乗部を駆動して変位せしめる駆動機構と、
少なくとも一部分が可撓性を有するシート状の部材から構成され、前記駆動機構を外方から覆って該駆動機構を閉塞空間内に位置せしめるカバー体と、
前記カバー体により形成された閉塞空間内に気体を供給し、該閉塞空間内の気体圧力を高めて、前記カバー体のシート状部分を外方に膨らませる気体供給機構とを備えてなることを特徴とする遊戯装置。
【請求項２】
遊戯者が乗る領域を上面に有する遊戯用部材と、
前記遊戯用部材の下方に配置された基台と、
前記基台上に配設され、前記遊戯用部材を水平面に対し傾斜自在に下方から支持する支持機構と、
少なくとも一部分が可撓性を有するシート状の部材から構成され、前記支持機構を内部に収容した状態で前記遊戯用部材と基台との間の空間を閉塞するように、上端部が前記遊戯用部材に固着される一方、下端部が前記基台に固着されるカバー体と、
前記カバー体，遊戯用部材及び基台によって形成される閉塞空間内に気体を供給して、該閉塞空間内の気体圧力を高める気体供給機構とを備えてなり、
前記カバー体は、前記遊戯用部材の傾斜を許容するように構成されるとともに、前記閉塞空間内の気体圧力が高められることによって、前記シート状部分が外方に膨らむように構成されてなることを特徴とする遊戯装置。
【請求項３】
前記基台上の前記閉塞空間内に配設されて前記遊戯用部材を傾斜させる傾斜機構を更に備えてなることを特徴とする請求項２記載の遊戯装置。
【発明の詳細な説明】
【技術分野】
【０００１】
本発明は、遊園地や公園の他、デパートやスーパーマーケットなどのショッピング施設の遊戯コーナ等に設置して好適な遊戯装置に関する。
【背景技術】
【０００２】
従来、子供などの遊戯者が気軽に遊ぶことができる遊戯装置として、特開平１１−７６６２３号公報，特開２００４−８１８１７号公報及び特開２００１−１７７４７号公報に開示されたものなどが知られている。【０００３】
特開平１１−７６６２３号公報に開示された遊戯装置は、水平配置された矩形状のフレームと、フレームに張り渡された網状部材と、板ばねを介してフレームの下面を支持し、当該板ばねの弾力によりフレームを水平面に対して傾斜，揺動させるように構成された支持機構などを備えており、遊戯者が網状部材上に乗って動き回ることで、板ばねがたわみ、その弾力によってフレームが傾斜，揺動し、このような中で遊戯者が遊ぶようになっている。【０００４】
また、特開２００４−８１８１７号公報に開示された遊戯装置は、いわゆるシーソーと呼ばれるもので、矩形且つ平板状に形成され、長手方向の両端部に遊戯者が座る座部がそれぞれ設けられた遊戯用部材と、遊戯用部材の長手方向中心部下面を当該遊戯用部材の幅方向に平行な水平軸回りに回転自在に支持する支持部材などを備えており、遊戯者が遊戯用部材の座部にそれぞれ座り、遊戯用部材端部を上下動させて遊ぶように構成されている。【０００５】
更に、特開２００１−１７７４７号公報に開示された遊戯装置は、矩形且つ平板状に形成された遊戯用部材と、遊戯用部材の長手方向中心部下面を当該遊戯用部材の幅方向に平行な水平軸回りに回転自在に支持する支持する支持部材と、遊戯用部材の長手方向の両端部にそれぞれ設けられた操作レバーと、操作レバーが操作されることで、当該操作レバーが設けられた側の遊戯用部材端部を上昇位置まで上昇させて当該上昇位置に保持する上昇機構などを備えており、遊戯者が操作レバーを操作して一方の遊戯用部材端部を上昇させ、当該遊戯用部材を傾斜させた後、遊戯用部材上面を滑り降り、この後、滑り降りた側の操作レバーを操作して他方の遊戯用部材端部を上昇させ、再び遊戯用部材上面を滑り降りるというものである。【０００６】
【特許文献１】特開平１１−７６６２３号公報
【特許文献２】特開２００４−８１８１７号公報
【特許文献３】特開２００１−１７７４７号公報
【発明の開示】
【発明が解決しようとする課題】
【０００７】
ところが、これら上記従来の遊戯装置では、フレームや遊戯用部材が傾斜したときに、当該遊戯装置で遊んでいる遊戯者の手や足、当該遊戯装置の周りにいる子供が、フレームや遊戯用部材と地面や床との間に挟まれて怪我をしたり、支持機構が剥き出しになっているために、遊戯者や遊戯装置の周りにいる子供が当該支持機構に触ると、怪我をする恐れがあった。【０００８】
また、網状部材上で遊んでいる遊戯者が、フレームの傾斜によってバランスを崩し、傾斜下方側のフレーム端部から落下するという危険性もある。【０００９】
本発明は、以上の実情に鑑みなされたものであって、安全性をより高めることができる遊戯装置の提供をその目的とする。
【課題を解決するための手段】
【００１０】
上記目的を達成するための本発明は、
遊戯者が搭乗する搭乗部を備え、該搭乗部を変位可能に支持する遊戯機構と、
前記搭乗部を駆動して変位せしめる駆動機構と、
少なくとも一部分が可撓性を有するシート状の部材から構成され、前記駆動機構を外方から覆って該駆動機構を閉塞空間内に位置せしめるカバー体と、
前記カバー体により形成された閉塞空間内に気体を供給し、該閉塞空間内の気体圧力を高めて、前記カバー体のシート状部分を外方に膨らませる気体供給機構とを備えてなることを特徴とする遊戯装置に係る。【００１１】
この発明によれば、遊戯機構の搭乗部に搭乗した子供などの遊戯者は、駆動機構により搭乗部が駆動されて変位せしめられる中で、具体的には、例えば、搭乗部が水平面に対して傾斜したり、上下動したり、水平回転したり、水平移動する中で、各種の遊びや搭乗部が変位せしめられるときの感覚などを楽しむことができる。【００１２】
また、気体供給機構から閉塞空間内に供給される気体によって当該閉塞空間内の気体圧力が高められ、カバー体のシート状部分が外方に膨らんでおり、遊戯者や当該遊戯装置の周りにいる子供達は、駆動機構に直接触ることができないため、彼らが怪我をするのを効果的に防止することができる。【００１３】
また、本発明は、遊戯者が乗る領域を上面に有する遊戯用部材と、
前記遊戯用部材の下方に配置された基台と、
前記基台上に配設され、前記遊戯用部材を水平面に対し傾斜自在に下方から支持する支持機構と、
少なくとも一部分が可撓性を有するシート状の部材から構成され、前記支持機構を内部に収容した状態で前記遊戯用部材と基台との間の空間を閉塞するように、上端部が前記遊戯用部材に固着される一方、下端部が前記基台に固着されるカバー体と、
前記カバー体，遊戯用部材及び基台によって形成される閉塞空間内に気体を供給して、該閉塞空間内の気体圧力を高める気体供給機構とを備えてなり、
前記カバー体は、前記遊戯用部材の傾斜を許容するように構成されるとともに、前記閉塞空間内の気体圧力が高められることによって、前記シート状部分が外方に膨らむように構成されてなることを特徴とする遊戯装置に係る。【００１４】
この発明によれば、子供などの遊戯者が、立った状態、座った状態、寝そべった状態などで遊戯用部材上に乗ったり、遊戯用部材上に乗って動き回ると、当該遊戯用部材が傾斜してその方向や角度が変化する。【００１５】
また、カバー体，遊戯用部材及び基台によって形成される閉塞空間内には、気体供給機構から気体が供給されて、当該閉塞空間内の気体圧力が高められ、当該カバー体のシート状部分が外方に膨らんでおり、遊戯用部材が傾斜すると、その傾斜下方側と基台との間の距離が短くなるため、カバー体の、当該傾斜下方側に接続した部分が、より外方に膨らんだり、当該遊戯用部材上面よりも上側に膨らんで壁を形成する。【００１６】
そして、このようにして遊戯用部材が傾斜する中で、遊戯者は、例えば、シーソーのようにして遊んだり、シーソーに乗ったときのような感覚を楽しんだり、滑り台のように、遊戯用部材上面を滑り降りるといった遊びを楽しむことができる。尚、カバー体によって形成された前記壁は、滑り降りてきた遊戯者を受け止めたり、遊戯用部材の傾斜によってバランスを崩した遊戯者が、傾斜下方側の遊戯用部材端部から落下するのを防止するためのストッパとして機能させることができる。【００１７】
また、遊戯者の手や足が遊戯用部材と基台との間の隙間に入るのをカバー体によって防止することができるとともに、仮に、何らかの原因で遊戯者の手や足が前記隙間に入ったとしても、遊戯用部材が傾斜すると、より外方に膨らんだカバー体によって当該隙間から押し出すことができるので、遊戯用部材の傾斜により、遊戯用部材と基台との間に手や足を挟んで怪我をするといったことを効果的に防止することができる。更に、支持機構が閉塞空間内に収容されて、遊戯者が当該支持機構に直接触ることができないことによっても、怪我をするのを効果的に防止することができる。【００１８】
また、当該遊戯装置の周りにいる子供達についても、同様に、前記隙間に入ったり、支持機構に直接触るのをカバー体によって防止することができ、当該子供達が怪我をするのを効果的に防止することができる。【００１９】
尚、前記遊戯装置は、前記基台上の前記閉塞空間内に配設されて前記遊戯用部材を傾斜させる傾斜機構を更に備えて構成されていても良く、このようにすれば、傾斜機構によって遊戯用部材が水平面に対して傾斜せしめられるので、遊戯者は、遊戯用部材上で動き回らなくても良く、気軽に楽しむことができる。また、遊戯用部材上に遊戯者が乗っていなくても、遊戯用部材が傾斜するので、この遊戯用部材の動きを見た、当該遊戯装置の周りにいる子供達の興味を引くことができる。更に、傾斜機構が閉塞空間内に収容されており、遊戯者や遊戯装置の周りにいる子供達が当該傾斜機構に直接触ることができないため、怪我をする危険性もない。【００２０】
また、前記カバー体は、そのシート状部分が遊戯用部材よりも外側に膨らむように構成されていることが好ましく、このようにすれば、遊戯者が遊戯用部材と基台との間に手や足を挟んで怪我をしたり、遊戯装置の周りにいる子供達が、遊戯用部材と基台との間に入って挟まれ、怪我をするのを、より確実に防止することができる。【００２１】
また、前記カバー体のシート状部材は、遊戯用部材の傾斜を許容することができるとともに、気体供給機構によって高められた気体圧力によって外方に膨らむことができれば、伸縮性を備えた部材や、通気性を備えた部材などから構成しても良い。
【発明の効果】
【００２２】
このように、本発明に係る遊戯装置によれば、遊戯者は、遊戯機構の搭乗部に搭乗したり、遊戯用部材上に乗って各種の遊びを楽しむことができるとともに、搭乗部が変位したときや遊戯用部材が傾斜したときの感覚を楽しむことができ、また、この遊戯装置で遊んでいる遊戯者自身や、この遊戯装置の周りにいる子供達が怪我をするのをカバー体により防止して安全性を高めることができる。
【図面の簡単な説明】
【００２３】
【図１】本発明の一実施形態に係る遊戯装置の概略構成を示した斜視図である。
【図２】図１に示した遊戯装置の正断面図である。
【図３】図２における矢示Ａ−Ａ方向の断面図である。
【図４】本発明の他の実施形態に係る遊戯装置の概略構成を示した斜視図である。
【図５】本発明の他の実施形態に係る遊戯装置の概略構成を示した斜視図である。
【図６】図５に示した遊戯装置の正断面図である。
【図７】本発明の他の実施形態に係る傾斜装置などの概略構成を示した平面図である。
【図８】図７における矢示Ｂ−Ｂ方向の断面図である。
【図９】図７における矢示Ｃ−Ｃ方向の断面図である。
【図１０】本発明の他の実施形態に係る遊戯用部材などの概略構成を示した平面図である。
【図１１】本発明の他の実施形態に係る昇降機構などの概略構成を一部ブロック図で示した正面図である。
【図１２】本発明の他の実施形態に係る昇降機構の配置例を示した平面図である。
【図１３】本発明の他の実施形態に係る昇降機構などの概略構成を一部ブロック図で示した正面図である。
【符号の説明】
【００２４】
１    遊戯装置
１０  遊戯用部材
１１  基台
１２  カバーシート
１３  ブロワ
１５  傾斜装置
１６  第１支持部材
１７  第２支持部材
１８  駆動シリンダ
１９  係合部材
Ｋ    閉塞空間
Ｙ    遊戯者
【発明を実施するための最良の形態】
【００２５】
以下、本発明の具体的な実施形態について、添付図面に基づき説明する。図１は、本発明の一実施形態に係る遊戯装置の概略構成を示した斜視図であり、図２は、図１に示した遊戯装置の正断面図であり、図３は、図２における矢示Ａ−Ａ方向の断面図である。【００２６】
図１及び図２に示すように、本例の遊戯装置１は、矩形且つ平板状に形成された遊戯用部材１０と、矩形且つ平板状に形成されて前記遊戯用部材１０と略同じ大きさに形成され、当該遊戯用部材１０の下方に配置された基台１１と、基台１１上に配設され、遊戯用部材１０の下面を支持して当該遊戯用部材１０上面を水平面に対し傾斜させる傾斜装置１５と、可撓性を有する部材からなり、遊戯用部材１０と基台１１との間の空間を閉塞するカバーシート１２と、遊戯用部材１０，基台１１及びカバーシート１２によって形成される閉塞空間Ｋ内に空気を供給するブロワ１３などを備えて構成される。【００２７】
前記遊戯用部材１０は、長手方向の両端側上面に幅方向に沿って立設され、コ字状に形成された２つの把持部材１０ａを備えており、遊戯者Ｙが、互いに向き合い、把持部材１０ａの水平部を掴んだ状態で、長手方向の両端側上面に座ることができるように構成されている。【００２８】
前記ブロワ１３は、カバーシート１２に適宜形成された開口部（図示せず）から閉塞空間Ｋ内に接続する供給部材１３ａを有しており、当該供給部材１３ａを介して閉塞空間Ｋ内に空気を供給し、当該閉塞空間Ｋ内の空気圧力を所定圧力まで高めるように構成される。【００２９】
前記カバーシート１２は、その上端部と下端部との間の長さが、遊戯用部材１０が傾斜したときにおける、遊戯用部材１０の傾斜上方側の端部と基台１１の端部との間の距離よりも長く形成され、傾斜装置１５を閉塞空間Ｋ内に収容した状態で、上端部が遊戯用部材１０の外周面に、下端部が基台１１の外周面にそれぞれ取り付けられている。【００３０】
また、カバーシート１２は、ブロワ１３により閉塞空間Ｋ内の空気圧力が高められることで、遊戯用部材１０及び基台１１よりも外側に膨らむように構成されるとともに、遊戯用部材１０が傾斜すると、その傾斜下方側と基台１１との間の距離が短くなるため、当該カバーシート１２の、当該傾斜下方側に取り付けられた部分が、より外側に膨らんだり、遊戯用部材１０端部上面よりも上側に膨らんで壁を形成するように構成されている。【００３１】
具体的には、遊戯用部材１０の幅方向に沿って設けられた部分は、図１及び図２に示すように、遊戯用部材１０端部上面よりも上側に膨らんで壁を形成し、遊戯用部材１０の長手方向に沿って設けられた部分は、図１及び図３に示すように、より外側に膨らむ。【００３２】
前記傾斜装置１５は、基台１１の中心部上面に立設された第１支持部材１６と、遊戯用部材１０の中心部下面に配設され、第１支持部材１６によって遊戯用部材１０の幅方向に平行な水平軸回りに（図２における矢示方向に）回転自在に支持される第２支持部材１７と、基台１１上に配設された、油圧シリンダや空圧シリンダなどからなる駆動シリンダ１８と、遊戯用部材１０の下面に設けられ、駆動シリンダ１８の昇降ロッド１８ａ先端に係合する係合部材１９とからなる。【００３３】
この傾斜装置１５によれば、駆動シリンダ１８が作動して昇降ロッド１８ａが上下動し、これによって係合部材１９が上下動すると、遊戯用部材１０が第１支持部材１６による第２支持部材１７の支持位置を揺動（傾斜）中心にして矢示方向に傾斜，揺動する。尚、駆動シリンダ１８は、適宜制御装置により、昇降ロッド１８ａの上下動を連続して繰り返すように制御されている。【００３４】
以上のように構成された本例の遊戯装置１によれば、傾斜装置１５によって遊戯用部材１０が傾斜，揺動せしめられ、当該遊戯用部材１０両端部の上下動が繰り返される。そして、把持部材１０ａを掴んで遊戯用部材１０の長手方向両端側上面に座った子供などの遊戯者Ｙは、当該両端側の上下動によって、その感覚を楽しむことができる、即ち、いわゆるシーソー遊びを楽しむことができる。【００３５】
また、遊戯用部材１０，基台１１及びカバーシート１２によって形成される閉塞空間Ｋ内には、ブロワ１３から空気が供給されて、当該閉塞空間Ｋ内の空気圧力が所定圧力まで高められ、カバーシート１２が遊戯用部材１０及び基台１１よりも外側に膨らんでおり、遊戯用部材１０が傾斜すると、その傾斜下方側と基台１１との間の距離が短くなるため、当該カバーシート１２の、当該傾斜下方側に取り付けられた部分が、これに作用する内圧によって、より外側に膨らんだり、遊戯用部材１０端部上面よりも上側に膨らんで壁を形成する。【００３６】
これにより、遊戯者Ｙの手や足が遊戯用部材１０と基台１１との間の隙間に入るのをカバーシート１２によって防止することができるとともに、仮に、何らかの原因で遊戯者Ｙの手や足が前記隙間に入ったとしても、遊戯用部材１０が傾斜すると、より外側に膨らんだカバーシート１２によって当該隙間から押し出すことができるので、遊戯用部材１０の傾斜により、遊戯用部材１０と基台１１との間に手や足を挟んで怪我をするといったことを効果的に防止することができる。また、傾斜装置１５が閉塞空間Ｋ内に収容されて、遊戯者Ｙが当該傾斜装置１５に直接触ることができないことによっても、怪我をするのを効果的に防止することができる。【００３７】
また、カバーシート１２によって形成された前記壁は、遊戯者Ｙの背もたれとして機能するため、遊戯用部材１０の傾斜，揺動により、遊戯者Ｙが、傾斜下方側の遊戯用部材１０端部から落下するのを防止することもできる。【００３８】
また、当該遊戯装置１の周りにいる子供達についても、同様に、前記隙間に入ったり、傾斜装置１５に直接触るのをカバーシート１２によって防止することができ、当該子供達が怪我をするのを効果的に防止することができる。【００３９】
また、遊戯用部材１０が傾斜装置１５によって随時揺動せしめられており、遊戯用部材１０上に遊戯者Ｙが乗っていなくても、当該遊戯用部材１０が傾斜，揺動しているので、この遊戯用部材１０の動きを見た、当該遊戯装置１の周りにいる子供達の興味を引くことができる。また、遊戯用部材１０が自動的に傾斜，揺動するので、気軽に楽しむことができる。【００４０】
このように、本例の遊戯装置１によれば、遊戯者Ｙは、遊戯用部材１０の傾斜，揺動によってその感覚を楽しむことができるとともに、この遊戯装置１で遊んでいる遊戯者Ｙ自身や、この遊戯装置１の周りにいる子供達が怪我をするのをカバーシート１２により防止して安全性を高めることができる。【００４１】
以上、本発明の一実施形態について説明したが、本発明の採り得る具体的な態様は、何らこれに限定されるものではない。【００４２】
例えば、図４に示すように、遊戯者Ｙが座る位置よりも更に端部側の遊戯用部材１０上面に、動物のぬいぐるみ２７などをそれぞれ設けるようにすれば、当該遊戯装置１の周りにいる子供達に対して、ぬいぐるみ２７によって表された動物がシーソー遊びをしているように思わせたり、動物と遊戯者Ｙが一緒になってシーソー遊びをしているように思わせることができるので、当該子供達の興味をより強く引くことができる。また、遊戯者Ｙに対しては、動物と一緒にシーソー遊びをしている気持ちにさせることができるので、当該遊戯装置１における遊びをより楽しいものにすることができる。尚、ぬいぐるみ２７の設置位置は、遊戯用部材１０の長手方向両端部上面に限られず、遊戯用部材１０の長手方向中央部上面などに設置するようにしても良い。【００４３】
また、上例では、遊戯装置１を、遊戯用部材１０の長手方向両端側に遊戯者Ｙを座らせて遊ばせるように構成したが、これに限られるものではなく、図５及び図６に示すように構成することもできる。尚、以下の説明では、上記遊戯装置１の構成と同じ構成部分については、同一の符号を付してその詳しい説明を省略する。【００４４】
同図５及び図６に示すように、この遊戯装置２は、円板状に形成された遊戯用部材２０と、円板状に形成されて前記遊戯用部材２０と略同じ大きさに形成され、当該遊戯用部材２０の下方に配置された基台２１と、基台２１上に配設され、遊戯用部材２０の下面を支持して当該遊戯用部材２０上面を水平面に対し傾斜させる傾斜装置３０と、可撓性を有する部材からなり、遊戯用部材２０と基台２１との間の空間を閉塞するカバーシート２２と、遊戯用部材２０，基台２１及びカバーシート２２によって形成される閉塞空間Ｋ内に空気を供給する前記ブロワ１３などを備えて構成される。【００４５】
前記遊戯用部材２０は、複数の遊戯者Ｙが乗ることが可能な大きさに形成され、前記カバーシート２２は、その上端部と下端部との間の長さが、遊戯用部材２０が傾斜したときにおける、遊戯用部材２０の傾斜上方側の端部と基台２１の端部との間の距離よりも長く形成され、即ち、ゆとりを持った状態で取付可能に形成され、傾斜装置３０を閉塞空間Ｋ内に収容した状態で、上端部が遊戯用部材２０の外周面に、下端部が基台２１の外周面にそれぞれ取り付けられている。【００４６】
斯くして、カバーシート２２は、ブロワ１３により閉塞空間Ｋ内の空気圧力が高められることで、遊戯用部材２０及び基台２１よりも外側に膨らみ、遊戯用部材２０が傾斜すると、その傾斜下方側と基台２１とが近づくため、当該カバーシート２２の、当該遊戯用部材２０の傾斜下方側に取り付けられた部分が、遊戯用部材２０端部上面よりも上側に膨らんで壁を形成する。【００４７】
前記傾斜装置３０は、図６乃至図９に示すように、基台２１上に配設され、遊戯用部材２０の載置，固定されたフレーム３１を支持する支持機構３２と、同じく基台２１上に支持機構３２を中心として９０°の角度位置にそれぞれ配設され、遊戯用部材２０の載置，固定されたフレーム３１を支持するとともに、その支持位置を上下方向に昇降させるように構成された第１昇降機構４５及び第２昇降機構５０と、第１昇降機構４５及び第２昇降機構５０の作動を制御する制御装置５５とから構成される。【００４８】
前記支持機構３２は、基台２１の中心部上面に適宜間隔を空けて立設された一対の支持ブラケット３３，３３と、支持ブラケット３３，３３間に配設される平面視十字形状をした連結板３４と、連結板３４の各片縁部上面にそれぞれに立設された２対のブラケット３５，３５，３８，３８と、フレーム３１を構成する中央部の部材４１，４２からそれぞれ下方に垂下するように設けられたブラケット３７，３７などから構成される。【００４９】
前記ブラケット３５，３５は、支持ブラケット３３，３３間に位置する連結板３４の各片上面に立設され、支持ブラケット３３，３３に螺着された支持軸３６，３６によって矢示Ｄ−Ｅ方向に揺動自在に支持されている。また、前記ブラケット３８，３８は、ブラケット３７，３７を挟むように連結板３４上に立設され、ブラケット３７，３７に螺着された支持軸３９，３９によって矢示Ｆ−Ｇ方向に揺動自在に支持されている。【００５０】
斯くして、フレーム３１及び遊戯用部材２０は、支持機構３２の矢示Ｄ−Ｅ方向及び矢示Ｆ−Ｇ方向への複合した揺動動作によって、その中心部を中心として水平面に対し任意の方向に傾斜可能に当該支持機構３２によって支持される。【００５１】
前記第１昇降機構４５は、ロータリエンコーダを備えたサーボモータ４６と、相互に連結された２本のクランクアーム４８，４９とからなり、クランクアーム４８の端部がサーボモータ４６の出力軸４７に連結され、クランクアーム４９の端部がフレーム３１を構成する部材の内、ブラケット３７，３７の配列方向と平行に設けられた部材４３に接続されている。そして、出力軸４７が回転すると、これによってクランクアーム４９が上下動し、かかるクランクアーム４９の上下動によって、フレーム３１（遊戯用部材２０）が矢示Ｄ−Ｅ方向に揺動する。【００５２】
前記第２昇降機構５０は、同じくロータリエンコーダを備えたサーボモータ５１と、相互に連結された２本のクランクアーム５３，５４とからなり、クランクアーム５３の端部がサーボモータ５１の出力軸５２に連結され、クランクアーム５４の端部がフレーム３１を構成する部材の内、支持ブラケット３３，３３の配列方向と平行に設けられた部材４４に接続されている。そして、出力軸５２が回転すると、これによってクランクアーム５４が上下動し、かかるクランクアーム５４の上下動によって、フレーム３１（遊戯用部材２０）が矢示Ｆ−Ｇ方向に揺動する。【００５３】
そして、前記制御装置５５は、各ロータリエンコーダから出力軸４７，５２の回転角度位置に係る検出信号を受信しつつサーボモータ４６，５１の作動を制御して、出力軸４７，５２の回転角度位置が所望の角度位置になるようにこれを制御する。これにより、フレーム３１を支持するクランクアーム４９，５４の上下方向における支持位置が制御される。【００５４】
このように構成された遊戯装置２では、制御装置５５による制御の下、サーボモータ４６，５１が適宜駆動されることによりクランクアーム４９，５４が上下動し、ブラケット３３，３３，３５，３５，３７，３７，３８，３８相互間の連結構造に基づく複合した揺動動作によって、フレーム３１及び遊戯用部材２０が水平面に対し任意の方向に傾斜する。【００５５】
また、遊戯用部材２０，基台２１及びカバーシート２２によって形成される閉塞空間Ｋ内には、ブロワ１３から空気が供給されて、当該閉塞空間Ｋ内の空気圧力が所定圧力まで高められて、カバーシート２２が遊戯用部材１０及び基台２１よりも外側に膨らんでおり、遊戯用部材２０が傾斜すると、その傾斜下方側と基台２１とが近づくため、当該カバーシート２２の、当該傾斜下方側に取り付けられた部分が、当該遊戯用部材２０端部上面よりも上側に膨らんで壁が形成される。【００５６】
そして、このようにして遊戯用部材２０が傾斜する中で、子供などの遊戯者Ｙは、立った状態、座った状態、寝そべった状態などで遊戯用部材２０上に乗ったり、遊戯用部材２０上に乗って動き回り、例えば、シーソーに乗ったときのような感覚を楽しんだり、滑り台のように、遊戯用部材２０上面を滑り降りるといった遊びを楽しむことができる。【００５７】
また、カバーシート２２によって形成された前記壁は、滑り降りてきた遊戯者Ｙを受け止めたり、遊戯用部材２０の傾斜によってバランスを崩した遊戯者Ｙが、傾斜下方側の遊戯用部材２０端部から落下するのを防止するためのストッパとして機能させることができる。【００５８】
また、更に、このように遊戯領域の広い遊戯用部材２０をあらゆる方向に傾斜させると、当該遊戯装置２の周りにいる子供達の興味をより強く引くことができる。尚、遊戯者Ｙやこの遊戯装置２の周りにいる子供達の安全性がカバーシート２２によって高められていることは、上述の通りである。【００５９】
前記遊戯装置２では、遊戯用部材２０及び基台２１の形状を円形としたが、矩形状や図１０に示すような長円形としても良く、また、遊戯用部材２０上面をあらゆる方向に傾斜させるように構成したが、前記遊戯装置１と同様に、１つの水平軸回りにのみ揺動（回転）させるようにしても良い。尚、図１０に示すように、長円形の遊戯用部材２５をその幅方向に平行な水平軸回りに揺動（回転）させると、遊戯用部材２５の傾斜下方側に形成される壁の高さが略一定となるようにカバーシート２２を構成し易くすることができるので、好ましい。【００６０】
また、カバーシート１２，２２は、遊戯用部材１０，２０，２５の傾斜を許容することができるとともに、ブロワ１３によって高められた空気圧力によって外方に膨らむことができれば、伸縮性を備えた部材や、通気性を備えた部材から構成しても良い。【００６１】
また、更に、前記傾斜装置１５に駆動シリンダ１８を設けず、当該傾斜装置１５を第１支持部材１６及び第２支持部材１７から構成したり、前記傾斜装置３０に、第１昇降機構４５，第２昇降機構５０及び制御装置５５を設けず、当該傾斜装置３０を支持機構３２から構成し、遊戯者Ｙ自身の力や体重、遊戯者Ｙが遊戯用部材２０，２５上で動き回ることによって、当該遊戯用部材１０，２０，２５が傾斜するように構成しても良い。【００６２】
また、遊戯用部材２０の駆動に、精密制御可能なサーボモータ４６，５１を用いたが、これに限られるものではなく、通常の電動モータや油圧モータを用いても何ら差し支えない。但し、複数のモータを用いて遊戯用部材２０の傾斜角や傾斜方向を高度に制御する場合には、サーボモータやステッピングモータを用いるのが好ましい。【００６３】
また、三つ以上の昇降機構を用いて遊戯用部材２０を支持する場合には、これを適宜配置することで、当該遊戯用部材２０を安定して支持することができるので、上述した支持機構３２を特に設けるには及ばない。【００６４】
また、上述した昇降機構４５，５０は、遊戯用部材２０を昇降させることができる構成のものであれば、上記の構成に何ら限定されるものではない。例えば、その他の例として、図１１及び図１３に示す構成を例示することができる。【００６５】
図１１に示した昇降機構７０は、上下に並設された平板７１，７２と、平板７１，７２間に設けられた引張コイルバネ７４及びエアバッグ７３と、平板７１に形成された流路７１ａ及びこの流路７１ａに接続した配管７９を介してエアバッグ７３内に圧縮空気を供給するコンプレッサ７８と、配管７９に介在せしめられた切換弁７５及び流量調整弁７６と、切換弁７５の排気側に設けられた流量調整弁７７とからなる。【００６６】
尚、引張コイルバネ７４及びエアバッグ７３の下端部は共に平板７１の上面に係着され、その上端部は共に平板７２の下面に係着されている。また、切換弁７５及び流量調整弁７６，７７は制御装置８０によってその作動が制御される。また、エアバッグ７３は弾性部材を袋状に形成して構成される。また、この昇降機構７０は、図１２に示すように、例えば、その三つが遊戯用部材２０の下方に適宜間隔で配設されて、平板７２が遊戯用部材２０の下面に係着され、平板７１が基台２１の上面に係着される。【００６７】
この昇降機構７０によれば、切換弁７５が給気状態になっている場合、配管７９，流量調整弁７６，切換弁７５及び流路７１ａを介してコンプレッサ７８からエアバッグ７３に圧縮空気が供給され、これにより、当該エアバッグ７３が引張コイルバネ７４の収縮力に抗して膨張し、図１１において二点鎖線で示すように、遊戯用部材２０を上方に押し上げる。即ち、その支持位置を上昇させる。【００６８】
そして、制御装置８０によって切換弁７５が排気状態に切り換えられると、コンプレッサ７７からの圧縮空気の供給が当該切換弁７５によって遮断される一方、エアバッグ７３は引張コイルバネ７４の収縮力によって平板７１，７２間で押圧され、その内部の気体が前記流路７１ａ，切換弁７５及び流量調整弁７７を介して外部に排気される。これにより、当該エアバッグ７３が収縮して、遊戯用部材２０が下方に移動する。即ち、その支持位置が降下する。【００６９】
尚、エアバッグ７３が膨張して遊戯用部材２０を上方に押し上げる速度、及びエアバッグ７３が収縮して遊戯用部材２０が下方に移動する速度は、制御装置８０による制御の下、それぞれ流量調整弁７６，７７によって制御される。【００７０】
斯くして、各昇降機構７０は、制御装置８０により、遊戯用部材２０を支持する上下方向の支持位置がそれぞれ制御されて当該支持位置が上下動し、これによって、遊戯用部材２０はその傾斜方向や傾斜角が変化する。【００７１】
また、図１３に示した昇降機構８５は、前記引張コイルバネ７４及び平板７１を省き、配管７９を直接エアバッグ７３に接続した点が前記昇降機構７０と異なり、他の構成は前記昇降機構７０と同じである。【００７２】
この昇降機構８５では、切換弁７５が給気状態になっている場合、上記昇降機構７０の場合と同様にして、配管７９，流量調整弁７６及び切換弁７５を介してコンプレッサ７８からエアバッグ７３に圧縮空気が供給され、これにより、当該エアバッグ７３が膨張して、図１３において二点鎖線で示すように、遊戯用部材２０を上方に押し上げる。【００７３】
そして、制御装置８０によって切換弁７５が排気状態に切り換えられると、コンプレッサ７７からの圧縮空気の供給が当該切換弁７５によって遮断される一方、エアバッグ７３は遊戯用部材２０の自重やその上の遊戯者Ｙの体重によって押圧され、その内部の気体が切換弁７５及び流量調整弁７７を介して外部に排気される。これにより、当該エアバッグ７３が収縮して、遊戯用部材２０が下方に移動する。【００７４】
また、上例では、遊戯用部材１０，２０，２５を水平面に対して傾斜させるように構成したが、この他、遊戯用部材１０，２０，２５を変位可能に適宜支持して、適宜駆動機構により、例えば、遊戯用部材１０，２０，２５全体を上下動させたり、遊戯用部材１０，２０，２５を水平回転させたり、遊戯用部材１０，２０，２５を水平移動させるなどして、遊戯者Ｙに各種の遊びや遊戯用部材１０，２０，２５が変位したときの感覚を楽しませるようにしても良い。尚、この場合においても、カバーシート１２，２２は、前記駆動機構を外方から覆って閉塞空間Ｋ内に収容した状態で、遊戯用部材１０，２０，２５の上下動や水平回転、水平移動などを許容するように当該遊戯用部材１０，２０，２５に取り付けられる。【００７５】
また、前記ブロワ１３は、カバーシート１２，２２の外部に設けたが、基台１１，２１上の閉塞空間Ｋ内に設けるようにしても良く、このようにすれば、遊戯装置１，２の装置構成をコンパクトにすることができる。尚、この場合、カバーシート１２，２２に適宜吸込口を形成して、この吸込口から外部の空気を吸い込むようにブロワ１３を構成する。【００７６】
また、遊戯用部材１０，２０と基台１１，２１との間の空間を閉塞するカバー体をカバーシート１２，２２として構成したが、当該カバー体の一部分のみをカバーシート１２，２２から構成するようにしても良い。
【産業上の利用可能性】
【００７７】
以上のように、本発明は、遊園地や公園の他、デパートやスーパーマーケットなどのショッピング施設の遊戯コーナ等に設置する遊戯装置に好適に適用することができる。
【図１】
2006022004.tif 000002
【図２】
2006022004.tif 000003
【図３】
2006022004.tif 000004
【図４】
2006022004.tif 000005
【図５】
2006022004.tif 000006
【図６】
2006022004.tif 000007
【図７】
2006022004.tif 000008
【図８】
2006022004.tif 000009
【図９】
2006022004.tif 000010
【図１０】
2006022004.tif 000011
【図１１】
2006022004.tif 000012
【図１２】
2006022004.tif 000013
【図１３】
2006022004.tif 000014
【国際調査報告】
2006022004.tif 000015
2006022004.tif 000016
2006022004.tif 000017
2006022004.tif 000018